【手続補正書】
【提出日】平成16年9月8日(2004.9.8)
【手続補正１】
【補正対象書類名】明細書
【補正対象項目名】全文
【補正方法】変更
【補正の内容】
【書類名】      明細書
【発明の名称】  インクジェット記録用水性インクセット
【特許請求の範囲】
【請求項１】  黒インクとカラーインクとからなるインクジェット記録用水性インクセットであって、前記黒インクは、少なくとも、黒顔料、水及び水溶性有機溶媒を含有するものであり、前記カラーインクは、少なくとも、染料、水、水溶性有機溶媒、及び、下記式（１）で表される化合物（１）、下記式（２）で表される化合物（２）及び下記式（３）で表される化合物（３）からなる群より選択される少なくとも１種の化合物を含有するものであることを特徴とするインクジェット記録用水性インクセット。
【化１】
2003246949.tif 000001
式（１）中、Ｒ１は炭素数１６〜２２の直鎖状アルキル基を表し、ｘ＝２０〜３０である。
【化２】
2003246949.tif 000002
式（２）中、ｌ＋ｍ＋ｎ＋ｏ＋ｐ＋ｑ＝２０〜１００である。
【化３】
2003246949.tif 000003
式（３）中、Ｒ２は炭素数１６〜２２の直鎖状アルキル基を表し、ｙ＝１００〜３００である。
【請求項２】  黒顔料は、表面に親水化処理が施された自己分散型黒顔料であることを特徴とする請求項１記載のインクジェット記録用水性インクセット。
【請求項３】  化合物（１）は、Ｒ１が炭素数１８のオレイル基であり、かつ、ｘ＝２３〜２５であることを特徴とする請求項１又は２記載のインクジェット記録用水性インクセット。
【請求項４】  化合物（２）は、ｌ＋ｍ＋ｎ＋ｏ＋ｐ＋ｑ＝２５〜８０であることを特徴とする請求項１、２又は３記載のインクジェット記録用水性インクセット。
【請求項５】  化合物（３）は、Ｒ２が炭素数１８のステアリル基であり、かつ、ｙ＝１４０〜２５０であることを特徴とする請求項１、２、３又は４記載のインクジェット記録用水性インクセット。
【請求項６】  化合物（１）、（２）及び（３）からなる群より選択される少なくとも１種の化合物のカラーインクにおける配合量が、カラーインク全量に対して０．００１〜５重量％であることを特徴とする請求項１、２、３、４又は５記載のインクジェット記録用水性インクセット。
【発明の詳細な説明】
【０００１】
【発明の属する技術分野】
本発明は、インクジェット記録用水性インクセットに関する。
【０００２】
【従来の技術】
インクジェット記録方式のプリンター技術とは、急激に加熱し発生した気泡により微小径ノズルからインクを吐出させるバブル方式、電圧印加により変形する圧電素子を用いて微小径ノズルからインクを吐出させるピエゾ方式等により、基本色となる数色のインクを、数ピコリットル〜数十ピコリットルという微小液滴として選択的に紙面上に着弾させることにより画像を形成する印字技術である。
【０００３】
このインクジェット記録方式の長所は、微小液滴の吐出を高精度で制御することにより、フルカラーに近い色再現を持ち、かつ、粒状感のない画像形成が可能となり、高印字品質、高印画品質が得られることである。また、着色剤として顔料を用いることで、レーザープリンターに匹敵するシャープなエッジを再現することも可能である。
【０００４】
インクジェット記録用水性インクでは、文字及び罫線等の印字に際しシャープなエッジを再現するために、黒インクの着色剤として黒顔料を用いることが有用とされており、写真等の色鮮やかな画像を形成するために、カラーインクの着色剤として染料を用いることが有用とされている。しかしながら、着色剤として黒顔料を用いた黒インクと、着色剤として染料を用いたカラーインクとを組み合わせて使用すると、黒インクとカラーインクとの接触により黒インク中に分散している黒顔料の分散状態が不安定となり、凝集を生じることがある。インクジェット記録方式では、微小径ノズルから高精度にインクを吐出する機構のため、ノズル付近で凝集が生じると、ノズルが目詰まりし、インクの吐出不良や吐出曲がり等の印字品質における重大な劣化を生じるという問題があった。また、メンテナンス用吸引ポンプ内で凝集が生じるとそのポンプが動作不良になるという問題が生じる。
【０００５】
【発明が解決しようとする課題】
本発明は、上述した問題点を解決するためになされたものであり、黒インクとカラーインクとを組み合わせて使用したときに、黒インクとカラーインクとの接触により黒インク中に分散している黒顔料が凝集することなく、インクジェットプリンターでの使用の際に、吐出不良や吐出曲がり等の印字品質における重大な劣化を生じない高い信頼性を有するインクジェット記録用水性インクセットを提供することを目的とするものである。
【０００６】
【課題を解決するための手段】
本発明は、黒インクとカラーインクとからなるインクジェット記録用水性インクセットであって、前記黒インクは、少なくとも、黒顔料、水及び水溶性有機溶媒を含有するものであり、前記カラーインクは、少なくとも、染料、水、水溶性有機溶媒、及び、下記式（１）で表される化合物（１）、下記式（２）で表される化合物（２）及び下記式（３）で表される化合物（３）からなる群より選択される少なくとも１種の化合物を含有するものであるインクジェット記録用水性インクセットである。
【０００７】
【化４】
2003246949.tif 000004
【０００８】
式（１）中、Ｒ１は炭素数１６〜２２の直鎖状アルキル基を表し、ｘ＝２０〜３０である。
【０００９】
【化５】
2003246949.tif 000005
【００１０】
式（２）中、ｌ＋ｍ＋ｎ＋ｏ＋ｐ＋ｑ＝２０〜１００である。
【００１１】
【化６】
2003246949.tif 000006
【００１２】
式（３）中、Ｒ２は炭素数１６〜２２の直鎖状アルキル基を表し、ｙ＝１００〜３００である。以下に本発明を詳述する。
【００１３】
本発明のインクジェット記録用水性インクセットは、黒インクとカラーインクとからなるものである。上記黒インクは、少なくとも、黒顔料、水及び水溶性有機溶媒を含有するものである。
【００１４】
上記黒顔料は、上記黒インク中に着色剤として分散されるものである。上記黒顔料としては特に限定されず、市販されている公知のものを使用することができる。なかでも、表面改質処理が施され、顔料粒子の表面にカルボン酸塩、スルホン酸塩等の親水性アニオン官能基が付与された自己分散型黒顔料が好適に用いられる。
【００１５】
上記黒顔料の上記黒インクにおける配合量は、固形分として、インク全量に対して０．１〜２０重量％であることが好ましく、より好ましくは０．３〜１５重量％、更に好ましくは０．５〜１０重量％である。
【００１６】
上記水としては、脱イオン水（純水）が好ましい。上記水の上記黒インクにおける配合量は、上記黒インク全量に対して４０重量％以上であることが好ましい。４０重量％未満であると、黒インクの通常時の粘度を正常に噴射可能な低粘度に保つことができないことがある。
【００１７】
上記水溶性有機溶媒は、主としてインクジェットヘッドの先端部における上記黒インクの析出及び乾固を防止するために使用される。上記水溶性有機溶媒としては、揮発性が低く、上記黒顔料粒子の分散安定性を阻害しないものが好ましい。具体的には、例えば、ポリエチレングリコール等のポリアルキレングリコール類；エチレングリコール、プロピレングリコール、ブチレングリコール、ジエチレングリコール、ジプロピレングリコール、トリエチレングリコール、トリプロピレングリコール、１，２，６−ヘキサントリオール、チオジグリコール、１，３−ブタンジオール、１，５−ペンタンジオール、ヘキシレングリコール等のアルキレングリコール類；グリセリン；２−ピロリドン、Ｎ−メチル−２−ピロリドン等のピロリドン類を挙げることができる。これらの水溶性有機溶媒は単独で用いられてもよく、２種以上が併用されてもよい。
【００１８】
上記水溶性有機溶媒の上記黒インクにおける含有量は、上記黒インク全量に対して５〜４０重量％であることが好ましく、より好ましくは７〜４０重量％、更に好ましくは１０〜４０重量％である。５重量％未満であると、湿潤作用が不充分となり、析出や乾固等の問題を生じることがある。４０重量％を超えると、上記黒インクが必要以上に増粘し、吐出不能となったり、記録紙上での乾燥が極端に遅くなったりする等の問題を生じることがある。
【００１９】
上記黒インクは、下述の下記式（１）で表される化合物（１）、下記式（２）で表される化合物（２）及び下記式（３）で表される化合物（３）からなる群より選択される少なくとも１種の化合物を含有していてもよい。
【００２０】
【化７】
2003246949.tif 000007
【００２１】
上記式（１）中、Ｒ１は炭素数１６〜２２の直鎖状アルキル基を表し、ｘ＝２０〜３０である。
【００２２】
【化８】
2003246949.tif 000008
【００２３】
上記式（２）中、ｌ＋ｍ＋ｎ＋ｏ＋ｐ＋ｑ＝２０〜１００である。
【００２４】
【化９】
2003246949.tif 000009
【００２５】
上記式（３）中、Ｒ２は炭素数１６〜２２の直鎖状アルキル基を表し、ｙ＝１００〜３００である。
【００２６】
上記カラーインクは、少なくとも、染料、水及び水溶性有機溶媒を含有するものである。上記染料は、上記カラーインクの着色剤として使用されるものである。上記染料としては特に限定されないが、例えば、塩基性染料、酸性染料、直接染料及び反応性染料等のカチオン性又はアニオン性の染料が好ましい。具体的には、カラーインデックスナンバーベーシックレッド１、１：１、２、１２、１３、１４、１８、２２、２７、２８、２９、３４、３８、３９、４６、４６：１、６７、６９、７０；カラーインデックスナンバーベーシックバイオレット１、２、３、４、５、７、８、１０、１１、１１：１、２０、３３；カラーインデックスナンバーベーシックブルー３、６、７、９、１１、１２、１６、１７、２４、２６、４１、４７、６６；カラーインデックスナンバーベーシックグリーン１、４、５；カラーインデックスナンバーベーシックイエロー１、１１、１９、２１、２４、２５、２８、２９、３６、４５、５１、６７、７３；カラーインデックスナンバーベーシックオレンジ１４、２１、２２、３２；カラーインデックスナンバーベーシックブラウン１、４；カラーインデックスナンバーダイレクトブラック１７、１９、３２、５１、７１、１０８、１４６、１５４、１６８；カラーインデックスナンバーダイレクトブルー６、２２、２５、７１、８６、９０、１０６、１９９；カラーインデックスナンバーダイレクトレッド１、４、１７、２８、８３、２２７；カラーインデックスナンバーダイレクトイエロー１２、２４、２６、８６、９８、１３２、１４２；カラーインデックスナンバーダイレクトオレンジ３４、３９、４４、４６、６０；カラーインデックスナンバーダイレクトバイオレット４７、４８；カラーインデックスナンバーダイレクトブラウン１０９；カラーインデックスナンバーダイレクトグリーン５９；カラーインデックスナンバーアシッドブラック２、７、２４、２６、３１、５２、６３、１１２、１１８；カラーインデックスナンバーアシッドブルー９、２２、４０、５９、９３、１０２、１０４、１１３、１１７、１２０、１６７、２２９、２３４；カラーインデックスナンバーアシッドレッド１、６、３２、３７、５１、５２、８０、８５、８７、９２、９４、１１５、１８１、２５６、２８９、３１５、３１７；カラーインデックスナンバーアシッドイエロー１１、１７、２３、２５、２９、４２、６１、７１；カラーインデックスナンバーアシッドオレンジ７、１９；カラーインデックスナンバーアシッドバイオレット４９；カラーインデックスナンバーフードブラック１、２；カラーインデックスナンバーリアクティブレッド１８０等を挙げることができる。これらの染料は、単独で用いられてもよく、２種以上が併用されてもよい。
【００２７】
上記染料の上記カラーインクにおける配合量は、上記カラーインク全量に対して０．１〜２０重量％であることが好ましく、より好ましくは０．３〜１５重量％、更に好ましくは０．５〜１０重量％である。
【００２８】
上記カラーインクに使用される水としては、脱イオン水（純水）が好ましい。上記カラーインクに使用される水の上記カラーインクにおける配合量は、上記カラーインク全量に対して４０重量％以上であることが好ましい。４０重量％未満であると、カラーインクの通常時の粘度を正常に噴射可能な低粘度に保つことができないことがある。
【００２９】
上記カラーインクに使用される水溶性有機溶剤は、主としてインクジェットヘッドの先端部における上記カラーインクの析出及び乾固を防止するために使用される。上記カラーインクに使用される水溶性有機溶媒としては、揮発性が低く、染料溶解性が高いものが好ましい。具体的には、例えば、上記黒インクに使用される水溶性有機溶媒と同様のものを挙げることができる。これらの水溶性有機溶媒は単独で用いられてもよいし、２種以上が併用されてもよい。
【００３０】
上記カラーインクに使用される水溶性有機溶剤の上記カラーインクにおける配合量は、上記カラーインク全量に対して５〜４０重量％であることが好ましく、より好ましくは７〜４０重量％、更に好ましくは１０〜４０重量％である。５重量％未満であると、湿潤作用が不充分となり、析出や乾固等の問題を生じることがある。４０重量％を超えると、上記カラーインクが必要以上に増粘し、吐出不能となったり、記録紙上での乾燥が極端に遅くなったりする等の問題を生じることがある。
【００３１】
上記カラーインクは、上記染料、上記水及び上記水溶性有機溶媒の他に、下記式（１）で表される化合物（１）、下記式（２）で表される化合物（２）及び下記式（３）で表される化合物（３）からなる群より選択される少なくとも１種の化合物を含有する。
【００３２】
【化１０】
2003246949.tif 000010
【００３３】
上記式（１）中、Ｒ１は炭素数１６〜２２の直鎖状アルキル基を表し、ｘ＝２０〜３０である。好ましくは、Ｒ１が炭素数１８のオレイル基であり、かつ、ｘ＝２３〜２５である。Ｒ１が炭素数１８のオレイル基であり、かつ、ｘ＝２３〜２５であると、上記黒顔料の凝集防止効果が高い。上記化合物（１）としては特に限定されないが、例えば、レベノールＷＸ、ラテムルＷＸ（以上、花王社製）等が好適に用いられる。
【００３４】
【化１１】
2003246949.tif 000011
【００３５】
上記式（２）中、ｌ＋ｍ＋ｎ＋ｏ＋ｐ＋ｑ＝２０〜１００である。好ましくは、ｌ＋ｍ＋ｎ＋ｏ＋ｐ＋ｑ＝２５〜８０である。ｌ＋ｍ＋ｎ＋ｏ＋ｐ＋ｑ＝２５〜８０であると、上記黒顔料の凝集防止効果が高い。上記化合物（２）としては特に限定されないが、例えば、エマノーンＣＨ−２５、エマノーンＣＨ−４０、エマノーン６０（Ｋ）、エマノーンＣＨ−８０（以上、花王社製）等が好適に用いられる。
【００３６】
【化１２】
2003246949.tif 000012
【００３７】
上記式（３）中、Ｒ２は炭素数１６〜２２の直鎖状アルキル基を表し、ｙ＝１００〜３００である。好ましくは、Ｒ２が炭素数１８のステアリル基であり、かつ、ｙ＝１４０〜２５０である。Ｒ２が炭素数１８のステアリル基であり、かつ、ｙ＝１４０〜２５０であると、上記黒顔料の凝集防止効果が高い。上記化合物（３）としては特に限定されないが、例えば、エマノーン３１９９、エマノーン３２９９、エマノーン３２９９Ｒ（以上、花王社製）等が好適に用いられる。
【００３８】
上記化合物（１）、（２）及び（３）からなる群より選択される少なくとも１種の化合物の上記カラーインクにおける配合量は、上記カラーインク全量に対して０．００１〜５重量％であることが好ましく、より好ましくは０．０１〜３重量％、更に好ましくは０．０５〜１重量％である。
【００３９】
上記黒インク及び上記カラーインクには、更に必要に応じて、従来公知の浸透剤、樹脂バインダー、分散剤、界面活性剤、粘度調整剤、表面張力調整剤、ｐＨ調整剤、染料溶解剤、防腐防カビ剤等を添加することができる。
【００４０】
上記浸透剤は、記録紙へのインクの浸透速度を効果的に速めることにより、インクの紙面上での速乾性を向上させ、記録紙上での遅乾性に起因するブリーディング（異なる色の境界でのにじみ）を防止し、かつ、浸透に伴うフェザリング（紙の繊維に沿ったヒゲ状のにじみ）を防止するために使用される。上記浸透剤としては特に限定されず、例えば、多価アルコールモノアルキルエーテル、１価アルコール等を挙げることができる。なかでも、低臭気性で蒸気圧の低い多価アルコールモノアルキルエーテルエタノールが好適に用いられる。
【００４１】
上記多価アルコールモノアルキルエーテルとしては特に限定されず、例えば、ジエチレングリコールモノメチルエーテル、ジエチレングリコールモノブチルエーテル、ジエチレングリコールモノイソブチルエーテル、ジプロピレングリコールモノメチルエーテル、ジプロピレングリコールモノプロピルエーテル、ジプロピレングリコールモノイソプロピルエーテル、ジプロピレングリコールモノブチルエーテル、トリエチレングリコールモノメチルエーテル、トリエチレングリコールモノブチルエーテル、トリプロピレングリコールモノメチルエーテル、トリプロピレングリコールモノブチルエーテル等を挙げることができる。
【００４２】
上記多価アルコールアルキルエーテルの黒インク又はカラーインクにおける含有量は、インク全量に対して３〜１５重量％が好ましい。３重量％未満であると、インクの記録紙への浸透速度が遅く、乾燥時間、滲みの問題を生じることがある。１５重量％を超えると、インクの記録紙への浸透が過剰となり、インクが記録紙の裏まで達してしまったり、滲みの問題を生じたりすることがある。
【００４３】
上記１価アルコールとしては特に限定されず、例えば、エタノール、イソプロピルアルコール等を挙げることができる。
【００４４】
本発明のインクジェット記録用水性インクセットを、熱エネルギーの作用によってインクを吐出させるインクジェット方式に適用する場合には、比熱、熱膨張係数、熱電導率等の熱的な物性値が調整されることもある。
【００４５】
本発明のインクジェット記録用水性インクセットにおいて、上記化合物（１）、（２）及び（３）は、上記黒インク中の上記黒顔料の分散状態を安定化させる効果を有し、上記カラーインク中に添加されることにより、上記黒インクと上記カラーインクとが接触した際にも、上記黒インク中の上記黒顔料の分散が不安定にならないので、凝集を防止することができる。これにより、本発明のインクジェット記録用水性インクセットは、上記黒インクと上記カラーインクとが組み合わせてインクジェットプリンターに適用されたときでも、ノズルの目詰まりの発生等を防止することができるので、吐出不良や吐出曲がり等の印字品質における重大な劣化を防止し、高い信頼性を得ることができる。また、メンテナンス用吸引ポンプの動作を安定化させることができる。
【００４６】
【実施例】
以下に実施例を掲げて本発明を更に詳しく説明するが、本発明はこれらの実施例のみに限定されるものではない。
【００４７】
（実施例１）上記化合物（１）としてレベノールＷＸ（花王社製）をマゼンタインク、及び、シアンインクに添加し、上記化合物（２）としてエマノーンＣＨ−２５（花王社製）をイエローインクに添加して、表１に示した組成のインクジェット記録用水性インクセットを調製した。
【００４８】
【表１】
2003246949.tif 000013
【００４９】
（実施例２）上記化合物（２）としてエマノーンＣＨ−６０（Ｋ）（花王社製）をイエローインク、マゼンタインク、及び、シアンインクに添加して、表２に示した組成のインクジェット記録用水性インクセットを調製した。
【００５０】
【表２】
2003246949.tif 000014
【００５１】
（実施例３）上記化合物（３）としてエマノーン３１９９（花王社製）をイエローインク、マゼンタインク、及び、シアンインクに添加して、表３に示した組成のインクジェット記録用水性インクセットを調製した。
【００５２】
【表３】
2003246949.tif 000015
【００５３】
（実施例４）上記化合物（２）としてエマノーンＣＨ−８０（花王社製）をブラックインク、イエローインク、マゼンタインク、及び、シアンインクに添加して、表４に示した組成のインクジェット記録用水性インクセットを調製した。
【００５４】
【表４】
2003246949.tif 000016
【００５５】
（実施例５）上記化合物（１）としてレベノールＷＸ（花王社製）をイエローインク、マゼンタインク、及び、シアンインクに添加して、表５に示した組成のインクジェット記録用水性インクセットを調製した。
【００５６】
【表５】
2003246949.tif 000017
【００５７】
（実施例６）上記化合物（１）としてラテムルＷＸ（花王社製）をシアンインクに添加し、上記化合物（２）としてエマノーンＣＨ−４０（花王社製）をイエローインク、及び、マゼンタインクに添加して、表６に示した組成のインクジェット記録用水性インクセットを調製した。
【００５８】
【表６】
2003246949.tif 000018
【００５９】
（実施例７）上記化合物（３）としてエマノーン３２９９（花王社製）をイエローインク、マゼンタインク、及び、シアンインクに添加して、表７に示した組成のインクジェット記録用水性インクセットを調製した。
【００６０】
【表７】
2003246949.tif 000019
【００６１】
（実施例８）上記化合物（１）としてラテムルＷＸ（花王社製）をブラックインク、マゼンタインク、及び、シアンインクに添加し、上記化合物（２）としてエマノーンＣＨ−４０（花王社製）をイエローインクに添加して、表８に示した組成のインクジェット記録用水性インクセットを調製した。
【００６２】
【表８】
2003246949.tif 000020
【００６３】
（比較例１〜８）カラーインクに上記化合物（１）、（２）及び（３）を添加しない代りに、添加しなかった上記化合物（１）、（２）及び（３）と同量だけ純水の添加量を増やしたこと以外は、実施例１、２、３、４、５、６、７及び８と同様にして比較例１、２、３、４、５、６、７、及び８のインクジェット記録用水性インクセットを調製した。
【００６４】
（比較例９）上記化合物（１）、（２）及び（３）のいずれでもない添加剤としてエマルゲン４０９Ｐ（花王社製）をイエローインク、マゼンタインク、及び、シアンインクに添加して、表９に示した組成のインクジェット記録用水性インクセットを調製した。
【００６５】
【表９】
2003246949.tif 000021
【００６６】
（比較例１０）上記化合物（１）、（２）及び（３）のいずれでもない添加剤としてエマノーン１１１２（花王社製）をブラックインク、イエローインク、マゼンタインク、及び、シアンインクに添加して、表１０に示した組成のインクジェット記録用水性インクセットを調製した。
【００６７】
【表１０】
2003246949.tif 000022
【００６８】
（比較例１１）上記化合物（１）、（２）及び（３）のいずれでもない添加剤としてデモールＮ（花王社製）をブラックインク、イエローインク、マゼンタインク、及び、シアンインクに添加して、表１１に示した組成のインクジェット記録用水性インクセットを調製した。
【００６９】
【表１１】
2003246949.tif 000023
【００７０】
（評価）実施例１、２、３、４、５、６、７、８及び比較例１、２、３、４、５、６、７、８、９、１０、１１のインクジェット記録用水性インクセットについて、各インクジェット記録用水性インクをそれぞれ充分に混合攪拌した後、０．８μｍのメンブランフィルタで濾過し、以下の評価に使用した。
【００７１】
評価試験１：凝集評価
ガラスプレパラート上で黒インクとカラーインクとの接触試験を行い、接触界面を顕微鏡で観察し、以下の基準に従って評価した。
○・・・凝集は見られなかった。
△・・・黒顔料が凝集したが、流動性はあった。
×・・・黒顔料が凝集して固化し、流動性がなくなった。
【００７２】
評価試験２：ノズルの目詰まり評価
室温における連続５０００回のヘッドノズル面のワイピング試験を実施し、以下の基準に従って評価した。なお、上記ヘッドノズル面のワイピング試験では、黒インク及びカラーインクのそれぞれを吐出するノズル列を、横方向に同時にワイピングするため、黒インクとカラーインクとが接触する環境にある。
○・・・不吐出及び曲がりは全くなかった。
△・・・不吐出又は曲がりが僅かにあったが、５回以内のパージにより回復した。
×・・・不吐出又は曲がりが多数あり、短時間のパージでは回復しなかった。
【００７３】
評価試験３：パージ用吸引ポンプ耐久評価
室温における１００００回の連続吸引パージ試験を実施し、以下の基準に従って評価した。下記評価において◎及び○の結果を得たものが合格基準を満たしているものとする。
◎・・・１００００回の連続吸引パージにおいて１回あたりの吸引量が規定量以上。
○・・・５０００回の連続吸引パージにおいて１回あたりの吸引量が規定量以上。
△・・・３０００回の連続吸引パージにおいて１回あたりの吸引量が規定量以上。
×・・・３０００回の連続吸引パージにおいて１回あたりの吸引量が規定量以下。
【００７４】
評価試験１、２及び３の結果を表１２に示した。
【００７５】
【表１２】
2003246949.tif 000024
【００７６】
表１２によれば、実施例で調製されたインクジェット記録用水性インクセットは、黒インクとカラーインクとの接触によって、黒インク中に分散している黒顔料が凝集することなく、ノズルの目詰まり、パージ用吸引ポンプの動作不良による問題は生じなかった。一方、比較例で調製されたインクジェット記録用水性インクセットは、評価試験１、２及び３いずれかの結果において問題があった。
【００７７】
【発明の効果】
本発明のインクジェット記録用水性インクセットは、黒インクとカラーインクとを組み合わせて使用したときに、黒インクとカラーインクとの接触により黒インク中に分散している黒顔料が凝集することなく、ノズルの目詰まり試験及びパージ用吸引ポンプの耐久試験において充分に高い耐久度を示すものである。本発明のインクジェット記録用水性インクセットをインクジェットプリンターに適用すると、黒顔料の凝集により、吐出不良や吐出曲がり等の印字品質における重大な劣化を引き起こすことはなく、インクジェット機構として長期にわたる安定した性能を保証することができる。